(57)【要約】【課題】支持脚に対する調整台の高さ調整を容易かつ合理的に行なえるとともに、調整台にパネルを容易かつ強固に固定でき、しかもパネル取り付け後の調整台とコレットと支持脚の相互の固定解除を促し、調整台の高さ調整を速やかに行なえ、フロアの改装に容易に応じられるようにしたパネルの取り付け装置を提供すること。【解決手段】不動に立設した支持脚１３に、パネル３４を載置可能な調整台２１を上下位置調節可能に取り付ける。前記調整台２１にロック部材３７を着脱可能に取り付ける。前記ロック部材３７を介し前記調整台２１にパネル３４を取り付け可能にする前記支持脚１３に略軸筒状のコレット１５を上下位置調節可能に取り付ける。前記コレット１５を前記調整台２１の内部に摺動可能に収容する。前記コレット１５の上部を前記調整台２１の外方に表出可能に設ける。前記コレット１５の上部に前記ロック部材３７を着脱可能に装着する。【選択図】        図２
2004308146.tif 000002
【特許請求の範囲】
【請求項１】
不動に立設した支持脚に、パネルを載置可能な調整台を上下位置調節可能に取り付け、前記調整台にロック部材を着脱可能に取り付け、該ロック部材を介し前記調整台にパネルを取り付け可能にした、パネルの取り付け装置において、前記支持脚に略軸筒状のコレットを上下位置調節可能に取り付け、該コレットを前記調整台の内部に摺動可能に収容し、該コレットの上部を前記調整台の外方に表出可能に設け、前記コレットの上部に前記ロック部材を着脱可能に装着したことを特徴とするパネルの取り付け装置。
【請求項２】
前記コレットの周面にテ−パ面を形成するとともに、前記調整台の内部に前記コレットと係合可能なテ−パ面を設けた請求項１記載のパネルの取り付け装置。
【請求項３】
前記調整台とコレットを前記支持脚に同期回動可能に取り付け、前記調整台とコレットを相対的に上下動可能に取り付けた請求項１記載のパネルの取り付け装置。
【請求項４】
前記コレットの周面にテ−パ面を有するサポ−トリブとガイド溝を設け、前記調整台のテ−パ面に、前記ガイド溝に係合可能なガイドリブを突設した請求項２記載のパネルの取り付け装置。
【請求項５】
前記コレットの内部に前記支持脚にねじ込み可能なネジ孔を形成するとともに、前記コレットの上部にネジ部を設け、該ネジ部に前記ロック部材をねじ込み可能にした請求項１記載のパネルの取り付け装置。
【請求項６】
前記パネルを除去した調整台の上部に、アンロック部材を係脱可能に取り付け、該アンロック部材にネジ孔を形成するとともに、該ネジ孔にネジ込み可能な螺軸を有するアンロックハンドルを設け、前記螺軸を前記支持脚の上端部に係合可能に設けた請求項１記載のパネルの取り付け装置。
【発明の詳細な説明】
【０００１】
【発明の属する技術分野】
本発明は、支持脚に対する調整台の高さ調整を容易かつ合理的に行なえるとともに、調整台にパネルを容易かつ強固に固定でき、しかもパネル取り付け後の調整台とコレットと支持脚の相互の固定解除を促し、調整台の高さ調整を速やかに行なえ、フロアの改装に容易に応じられるようにしたパネルの取り付け装置に関する。
【０００２】
【従来の技術】
例えば基礎床面上の一定高さ位置にフロアパネルを敷設する場合、基礎床面の所定位置に脚支柱を立設し、該支柱に支持ボルトを上向きに取り付け、該ボルトに調整台のスリ−ブを挿入し、該調整台の高さを前記支持ボルトにねじ込んだ調節ナットで調整し、該調整台上にフロアパネル端部のビス孔を位置付ける一方、前記調整台の上部に複数のパイプネジを突設し、前記フロアパネルに上方からビスを挿入し、該ビスを前記パイプネジにねじ込んで、フロアパネルの一端を取り付けていた（例えば、特許文献１参照）。
【０００３】
しかし、この従来の取り付け装置は部品点数が多く、フロアパネルの取り付けが煩雑で手間が掛かり、しかも調節ナットで調整台の高さ調整を行ない、調整後はロックボルトを緊締して、当該調整状態を維持させる面倒があった。
【０００４】
このような問題を解決するものとして、例えば図９のように調整台１のスリ−ブ２の内部にネジ部３を設け、該ネジ部３を支持ボルト４にねじ込んで調整台１を取り付け、この取り付け後、ロックボルト５を前記スリ−ブ２のネジ孔６にねじ込み、調整台１の取り付け高さを保持していた。
【０００５】
前記調整台１は上部に大径のネジ孔７を開口し、該孔７の開口部の周囲に複数の受台８を突設し、該受台８に複数のフロアパネル（図示略）の端部を載置可能にしていた。
そして、受台８上にフロアパネルの端部を載せ、この上方からロックナット９を前記ネジ孔７にねじ込み、かつ該ロックナット９を緊締して、そのフランジ１０をフロアパネルの端部に係合し、複数のフロアパネルを一括して取り付け可能にしていた。
【０００６】
この従来の取り付け装置は、フロアパネルを調整台にいちいちネジ止めする面倒がなく、また調整台の高さ調整の煩雑を若干軽減されるが、ロックボルト５によるロック作業の面倒は解消されなかった。
【０００７】
本発明はこのような問題を解決し、支持脚に対する調整台の高さ調整を容易かつ合理的に行なえるとともに、調整台にパネルを容易かつ強固に固定でき、しかもパネル取り付け後の調整台と、コレットと支持脚相互の固定の解除を促し、調整台の高さ調整を速やかに行なえ、フロアの改装に容易に応じられるようにした、パネルの取り付け装置を提供することを目的とする。
【０００８】
【課題を解決するための手段】
このため、請求項１の発明は、不動に立設した支持脚に、パネルを載置可能な調整台を上下位置調節可能に取り付け、前記調整台にロック部材を着脱可能に取り付け、該ロック部材を介し前記調整台にパネルを取り付け可能にした、パネルの取り付け装置において、前記支持脚に略軸筒状のコレットを上下位置調節可能に取り付け、該コレットを前記調整台の内部に摺動可能に収容し、該コレットの上部を前記調整台の外方に表出可能に設け、前記コレットの上部に前記ロック部材を着脱可能に装着し、従来の調整高さ維持用のロックボルトや、その煩雑なねじ込み作業を要することなく、コレットによって調整台の高さ調整を容易かつ確実に行なえ、しかも前記コレットによって、パネルを強固かつ容易に取り付けられるようにしている。
【０００９】
請求項２の発明は、前記コレットの周面にテ−パ面を形成するとともに、前記調整台の内部に前記コレットと係合可能なテ−パ面を設け、コレットと調整台との摺動関係を実現し、調整台の高さ位置を強固かつ合理的に維持し得るようにしている。
請求項３の発明は、前記調整台とコレットを前記支持脚に同期回動可能に取り付け、前記調整台とコレットを相対的に上下動可能に取り付け、調整台の高さ調整を容易かつ合理的に行なえるようにしている。
請求項４の発明は、前記コレットの周面にテ−パ面を有するサポ−トリブとガイド溝を設け、前記調整台のテ−パ面に、前記ガイド溝に係合可能なガイドリブを突設し、調整台とコレットとの同期回動を実現するとともに、前記調整台とコレットとの相対動を実現可能にしている。
【００１０】
請求項５の発明は、前記コレットの内部に前記支持脚にねじ込み可能なネジ孔を形成するとともに、前記コレットの上部にネジ部を設け、該ネジ部に前記ロック部材をねじ込み可能にし、前記支持脚に対するコレットの取り付けと、コレットに対するロック部材の取り付けを容易かつ確実に行なえるようにしている。
請求項６の発明は、前記パネルを除去した調整台の上部に、アンロック部材を係脱可能に取り付け、該アンロック部材にネジ孔を形成するとともに、該ネジ孔にネジ込み可能な螺軸を有するアンロックハンドルを設け、前記螺軸を前記支持脚の上端部に係合可能に設け、パネル取り外し後の調整台と支持脚との分離を促すとともに、支持脚とコレットとの強固な固定関係を解除し、調整台の高さ調整を容易に行なえるようにして、例えばフロアの改装に容易に応じられるようにしている。
【００１１】
【発明の実施の形態】
以下、本発明をフロアパネルの取り付けに適用した図示の実施形態について説明すると、図１乃至図８において１１は基礎床面で、該床面１１の所定位置に金属製の複数の基板１２が適宜な接着剤で接着されている。
前記基板１２の中央にボルト状の支持脚１３が固定され、該支持脚１３の周面に（雄）ネジ部１４が形成され、該ネジ部１４にアルミダイカスト製のコレット１５がねじ込まれている。
【００１２】
前記コレット１５の下半部は平滑な略軸筒部状に形成され、その等角度位置に幅広な複数のサポ−トリブ１６が突設され、該リブ１６，１６の間にガイド溝１７が形成されている。
前記サポ−トリブ１６の外周面は、下方へ増径する平滑なテ−パ面状に形成され、このテ−パ面が後述する調整台の嵌合孔に係合し、該リブ１６の中央に切欠溝１８が拡開可能に形成されている。
【００１３】
前記ガイド溝１７は平滑面に形成され、該溝１７に後述のガイドリブが摺動可能に係合している。
前記コレット１５の略上半部周面にネジ部１９がダイカスト成形され、該ネジ部１９に後述のロックナットをねじ込み可能にしており、またコレット１５の内部にネジ孔２０が貫通形成され、該ネジ孔２に前記支持脚１３のネジ部１４をねじ込み可能にしている。
【００１４】
前記コレット１５の下半部は、調整台２１下部のスリ−ブ２２に嵌合し、該調整台２１はアルミダイカスによって略円筒状に成形され、そのスリ−ブ２２の内部にコレット１５を受け入れ可能な嵌合孔２３が形成されている。
前記嵌合孔２３の内面は平滑に形成され、その下半部は下方へ増径する平滑なテ−パ孔状に形成され、該テ−パ孔２４の等角度位置に複数のガイドリブ２５が突設され、該リブ２５が前記ガイド溝１７に摺動可能に嵌合している。
【００１５】
前記調整台２１の中央に前記嵌合孔２３に連通する大径の凹孔２６が形成され、該凹孔２６の内面の等角度位置に複数のカム溝２７が形成されている。
前記カム溝２７は図４および図７のように略Ｌ字形状に形成され、その上端部が調整台２１の上端面に開口していて、該カム溝２７にアンロック部材であるアンロックナット２８の係合爪２９を係脱可能に挿入している。
図中、２８ａはアンロックナット２８に形成したフランジで、周面にロ−レット溝が形成されている。
【００１６】
前記アンロックナット２８はアルミダイカストも若しくは鍛造成形によって略円筒状に成形され、その側周面の等角度位置に前記係合爪２９を突設し、その下部周面に下向きのテ−パ面を形成している。
前記アンロックナット２８の中央にネジ孔３０が形成され、該ネジ孔３０にアンロックハンドル３１の螺軸３２をねじ込み可能にしている。
【００１７】
前記凹孔２６の開口部に臨ませて複数の受台３３が等角度位置に配置され、該受台３３にフロアパネル３４を載置可能にしている。実施形態では調整台２８に４つの受台３３が設けられ、これらに４枚のフロアパネル３４の端部を隣接して載置している。
前記フロアパネル３４は、隅角部に略地紙形状の係止段部３５が  形成され、該段部３５は複数のフロアパネル３４によって図４のように凹穴３６を形成し、該凹穴３６に合成樹脂製のロック部材である、ロックナット３７を収容可能にしている。
【００１８】
前記係止段部３５の中央に各フロアパネル３４の先端部で区画した円孔状の挿通孔３８が形成され、該挿通孔３８に前記ロックナット３７を挿入可能にしている。
前記ロックナット３７は、前記挿通孔３８に挿入可能な円筒状に形成され、その内部に前記ネジ部１９にねじ込み可能なネジ孔３９を形成している。
前記ロックナット３７の上部に円板状のフランジ４０が形成され、該フランジ４０の下面を前記係止段部３５に係合可能にして、４枚のフロアパネル３４を一括して固定可能にしている。
【００１９】
前記フランジ４０の上端面に、ボックスレンチ等の工具４１を挿入可能な凹孔４２が形成され、該凹孔４２の内側に前記工具４１と係合可能な六角柱状の係合凸部４３が突設されている。
この他、図中４４は前記受台３３の下部に形成した成形凹所、調整台２１の底面とスリ−ブ２２に亘って張り出し成形した補強リブである。
【００２０】
このように構成した本発明のパネルの取り付け装置は、従来の調整台１の一部を改良し、またコレット１５とロックナット３７の製作を要するとともに、コレット１５の取り外し工具として、アンロックナット２８とアンロックハンドル３１を設けることが望ましい。
【００２１】
本発明に適用した調整台２１は、従来の調整台１のスリ−ブ２とネジ孔７を改良したもので、ネジ孔７の代わりに平滑な内面の凹孔２６を形成し、その内面の等角度位置に、略Ｌ字形状のカム溝２７を形成する。
また、従来のスリ−ブ２を大径に形成し、その内部にネジ孔３の代わりに、平滑な嵌合孔２３を形成し、該嵌合孔２３の略下側半部にテ−パ孔２４を形成し、該孔２４の等角度位置にガイドリブ２５を突設する。
これらの改良は比較的簡単であり、既存の金型の一部を改良することで対応できるから、これを別個に製作する場合に比べて安価に製作できる。
【００２２】
一方、前記コレット１５とロックナット３７は新設部品であり、これらの製作を要するが、コレット１５はアルミダイカスト成形後、ネジ孔２０を機械加工して製作し、ロックナット３７は合成樹脂成形により製作するから、これらを均質に製作できる。
また、前記アンロックナット２８は、アルミダイカスト成形若しくは鍛造成形後、ネジ孔３０を機械加工して製作し、アンロックハンドル３１はネジ部３２をヘッダ−加工し、該ネジ部３２をインサ−ト成形して製作するから、これらを均質に製作できる。
【００２３】
次に、前記製作した構成部品を用いてフロアパネル３４を取り付ける場合は、基礎床面１１の所定位置に基板１２を配置し、これを接着剤で接着する。
そして、支持脚１３のネジ部１４にコレット１５のネジ孔２０をねじ込み、支持脚１３の上部にコレット１５を取り付け、該コレット１５に調整台２１の嵌合穴２３を嵌合し、支持脚１３の上部に調整台２１を取り付ける。
【００２４】
このようにすると、調整台２１の凹孔２６内にコレット１５のネジ部１９が表出し、また複数のガイドリブ２５が、コレット１５の周面に形成した複数のガイド溝１７に係合し、更にコレット１５の複数のサポ−トリブ１６が、前記テ−パ孔２４の内面に密着かつ係合する。この状況は図２および図３のようである。
【００２５】
このような状況の下で調整台２１の各受台３３にフロアパネル３４の隅角部を載せ、その係止段部３５を凹孔２６の開口部直上に位置付け、これらの係止段部３５によって、図４のような凹孔３８を形成する。
その際、受台３３の高さと、各フロアパネル３４の高さが一致していない場合、つまり各フロアパネル３４の不陸位置が不揃いのときは、フロアパネル３４を受台３３から一旦取り外し、調整台２１をその上方から適宜方向へ回動する。
【００２６】
このようにすると、ガイドリブ２５が調整台２１と一体に回動し、該リブ２５が係合下のガイド溝１７を押し動かして、ガイド溝１７と一体のコレット１５が調整台２１と同動し、該コレット１５がネジ孔２０およびこれに螺合するネジ部１４を介して、支持脚１３に沿って上下動し、調整台２１ないし受台３３の高さが調整される。こうして各係止段部３５が同一面上に位置し、フロアパネル３４の取り付けが可能になる。
【００２７】
そこで、ロックナット３７を保持し、これを各係止段部３５の先端で形成した挿通孔３８に挿入し、該孔３８の直下に位置するネジ部１９にねじ込む。
この後、ボックスレンチ等の工具４１を保持し、これをロックナット３７の係合凸部４３に係合し、回動かつ緊締する。
このようにすると、ロックナット３７のフランジ４０の下端部が、前記係止段部３５に係合し、４枚のフロアパネル３４が一括して固定される。
【００２８】
この状況は図２のようで、前記ロックナット３７の緊締力によって、コレット１５が上方へ引張られ、ガイドリブ１６のテ−パ面がスリ−ブ２２のテ−パ孔２４に沿って移動かつ密着し、その楔効果によって、コレット１５が調整台２１に強固に取り付けられる。
そして、前記コレット１５が上方へ引張られることで、コレット１５のネジ孔２０が支持脚１３のネジ部１４に強力に係合し、それらが強固に取り付けられる
【００２９】
このため、コレット１５を介して調整台２１が支持脚１３の定位置に強固に取り付けられ、前記調整台２１の調整高さを堅固に維持する。したがって、従来のように調整台の調整位置を維持する専用のロックボルトや、その煩雑な緊締操作を要しない。
【００３０】
なお、前述の工具４１によるロックナット３７の緊締作業は、作業者がフロアパネル３４に乗って行なわれる。したがって、作業者の体重がフロアパネル３４を介して調整台２１に作用し、該調整台２１が若干沈み込んで、スリ−ブ２２のテ−パ孔２４が、サポ−トリブ１６のテ−パ面に密着かつ係合する。
すなわち、前述の作業と各部のテ−パ構造によって、フロアパネル３４と受台３３、テ−パ孔２４とサポ−トリブ１６の密着が増進し、そのような状況の下でロックナット３７が締め付けられるから、前述の各部材が合理的かつ強固に固定され、それらのガタや固定不良を未然に防止する。
【００３１】
一方、フロアパネル３４の取り付け後、例えばフロアの改装によってフロアパネル３４を取り外す場合は、ボックスレンチ等の工具４１をロックナット３７の係合凸部４３に係合し、これを回動操作してロックナット３７を緩め、各フロアパネル３４を取り外す。
【００３２】
この後、アンロックナット２８のフランジ２８ａを保持し、その係止爪２９をカム溝２７に差し込んで回動し、係止爪２９をカム溝２７に係合する。
そして、アンロックハンドル３１を保持し、その螺軸３２をアンロックナット２８のネジ孔３０にねじ込み、該螺軸３２を支持脚１３の上端部に係合して、アンロックハンドル３１を回動する。この状況は図８のようである。
【００３３】
このようにすると、アンロックハンドル３１の回動によって、アンロックナット２８が引き上げられ、係止爪２９とカム溝２７との係合を介し、調整台２１がガイドリブ２５を介して、ガイド溝１７に沿って上動する。
このため、調整台２１とスリ−ブ２２が同動し、そのテ−パ孔２４が上方へ移動してコレット１５のガイドリブ１６から離間し、テ−パ孔２４とガイドリブ１６との密着を解除する。
【００３４】
この後、フランジ２８ａを保持してアンロックナット２８を回動し、係止爪２９とカム溝２７との係合を解除して、アンロックナット２８とアンロックハンドル３１とを調整台２１から取り外す。
【００３５】
このような状況の下で調整台２１を保持し、これを支持脚１３を中心に回動し、調整台２１にコレット１５を同動させ、該コレット１５を支軸脚１３に沿って移動して、前述と同様に受台３３の高さを調整する。
そして、受台３３の高さ調整後、受台３３にフロアパネル３４を載せ、ロックナット３７をねじ込んで、フロアパネル３４を前述と同様に取り付ける。
【００３６】
【発明の効果】
以上のように、請求項１の発明は、支持脚に略軸筒状のコレットを上下位置調節可能に取り付け、前記コレットの周面に軸方向に沿って複数のサポ−トリブを設け、前記調整台の内部に前記コレットを摺動可能に設け、前記コレットの上部を前記調整台の外方に表出可能に設け、前記コレットの上部に前記ロック部材を着脱可能に装着したから、従来の調整高さ維持用のロックボルトや、その煩雑なねじ込み作業を要することなく、コレットによって調整台の高さ調整を容易かつ確実に行なえるとともに、前記コレットによってパネルを強固かつ容易に取り付けることができる。
【００３７】
請求項２の発明は、前記コレットの周面にテ−パ面を形成するとともに、前記調整台の内部に前記コレットと係合可能なテ−パ面を設けたから、コレットと調整台との摺動関係を実現し、調整台の高さ位置を強固かつ合理的に維持することができる。
請求項３の発明は、前記調整台とコレットを前記支持脚に同期回動可能に取り付け、前記調整台とコレットを相対的に上下動可能に取り付けたから、調整台の高さ調整を容易かつ合理的に行なうことができる。
請求項４の発明は、前記コレットの周面にテ−パ面を有するサポ−トリブとガイド溝を設け、前記調整台のテ−パ面に、前記ガイド溝に係合可能なガイドリブを突設したから、調整台とコレットとの同期回動を実現するとともに、前記調整台とコレットとの相対動を実現することができる。
【００３８】
請求項５の発明は、前記コレットの内部に前記支持脚にねじ込み可能なネジ孔を形成するとともに、前記コレットの上部にネジ部を設け、該ネジ部に前記ロック部材をねじ込み可能にしたから、前記支持脚に対するコレットの取り付けと、コレットに対するロック部材の取り付けを容易かつ確実に行なうことができる。請求項６の発明は、前記パネルを除去した調整台の上部に、アンロック部材を係脱可能に取り付け、該アンロック部材にネジ孔を形成するとともに、該ネジ孔にネジ込み可能な螺軸を有するアンロックハンドルを設け、前記螺軸を前記支持脚の上端部に係合可能に設けたから、パネル取り外し後の調整台と支持脚との分離を促すとともに、支持脚とコレットとの強固な固定関係を解除し、調整台の高さ調整を容易に行なうことができて、例えばフロアの改装に容易に応じられる効果がある。
【図面の簡単な説明】
【図１】本発明装置によるフロアパネルの取り付け状況を示す平面図である。
【図２】図１のＡ−Ａ線に沿う断面図である。
【図３】図２のＢ−Ｂ線に沿う断面図で、コレットのガイド溝と嵌合穴のガイドリブとの係合状況を示している。
【図４】本発明の取り付け装置を分解して示す斜視図である。
【図５】本発明装置に適用した調整台の底面図である。
【図６】図５のＣ−Ｃ線に沿う断面図である。
【図７】本発明の装置に適用したアンロック部材の要部を分解して示す斜視図である。
【図８】図７のアンロック部材によるアンロック状況を示し、フロアパネルを取り外した調整台にアンロックナットを取り付け、該ロックナットにアンロックハンドルの螺軸をねじ込み、これを支持脚の上端部に突き当てている。
【図９】本発明の従来例の要部を示す斜視図である。
【符号の説明】
１３                支持脚
１５                コレット
１６                サポ−トリブ
１７                ガイド溝
１９                ネジ部
２０                ネジ孔
２１                調整台
２５                ガイドリブ
２８                アンロック部材（アンロックナット）
３１                アンロックハンドル
３２                螺軸
３４                パネル（フロアパネル）
３７                ロック部材（ロックナット）
【図１】
2004308146.tif 000003
【図２】
2004308146.tif 000004
【図３】
2004308146.tif 000005
【図４】
2004308146.tif 000006
【図５】
2004308146.tif 000007
【図６】
2004308146.tif 000008
【図７】
2004308146.tif 000009
【図８】
2004308146.tif 000010
【図９】
2004308146.tif 000011